(57)【要約】      （修正有）【課題】マスク生地の両側に耳掛け紐を設けたマスクにおいて、長時間にわたって着用しても苦にならないのみならず、着用した場合の感触が良好なマスクを提供する。【解決手段】マスクは、マスク生地と耳掛け紐を含み、マスク生地は複数のシート生地４、５が重ね合わされて口元から鼻にかけての領域を覆うことが出来る大きさ及び形状とし、肌に接する内側の内シート材６は表面に起毛を有して柔らかくて変形自在なパフであり、シート生地４、５と共に内シート材６を縫い合わせている。【選択図】図２
0003229611.tif 000002
【実用新案登録請求の範囲】
【請求項１】
マスク生地の両側に耳掛け紐を設けたマスクにおいて、マスク生地は複数のシート生地が重ね合わされて口元から鼻にかけての領域を覆うことが出来る大きさ及び形状とし、肌に接する内側の内シート材として表面に起毛を有して柔らかくて変形自在なパフを用い、上記シート生地と共に縫い合わせたことを特徴とするパフを取付けたマスク。
【請求項２】
上記マスク生地は正面シート生地、中シート生地、及び内シート材を重ね合わせて構成した請求項１記載のパフを取付けたマスク。
【請求項３】
上記パフ表面の起毛の長さを０．１ｍｍ〜５ｍｍとした請求項１、又は請求項２記載のパフを取付けたマスク。
【考案の詳細な説明】
【技術分野】
【０００１】
本考案は、化粧をする際に用いるパフをマスク生地に組み合わせて一体化したマスクに関するものである。
【背景技術】
【０００２】
マスクは、正面に口元から鼻にかけての領域を覆うことが出来る大きさと形状の生地を有し、該マスク生地の両側には耳掛け紐を設けている。そこで、耳掛け紐を耳に掛けることでマスクを着用することが出来る。
最近では、世界的に流行しているコロナウィルスに感染しないように、常にマスクを着用する習慣が定着しつつあり、その為に色々なマスクが製作されている。
しかし、マスクを長時間にわたって着用する場合には息苦しく、特に暑い夏場ではマスクの着用が苦痛になる。
【０００３】
ところで、コロナウィルスの影響もあって、色々なマスクが考案され、出願もなされている。マスクに代わって、透明なプラスチック板を顔の正面を覆うように配置して飛沫を防止することが出来るフェスシールドも使用されている。
例えば、実用新案登録第３２２７１０８号に係る「飛沫飛散防止用マスク」は、容易に大量生産ができ、しかも反復使用することが可能な飛沫飛散防止用マスクである。
すなわち、耳掛けとなる穴を両端に設けた平板状のスポンジ製の本体の中央裏面に、着用者の鼻孔と口を覆うフィルターを配置している。
【０００４】
実用新案登録第３１９９３４８号に係る「医療用のマスク」は、口と鼻を覆うことができるだけでなく、また有効的に眼部を保護することができ、しかも手術する場合には、拡大鏡シートにて視野を高めることが出来るマスクである。
透明保護シート、および透明保護シートの下に繋げるマスク、および透明保護シートの下の縁部に設けるスポンジ、および透明保護シートに設けた小さいトレーで固定する拡大鏡を含み、透明保護シートとマスクの両側はいずれもワイヤを備えている。
【０００５】
特開２０１９−１６３５７３号に係る「マスク」は、従来のマスクは呼吸をすると鼻から蒸気を含んだ空気によってメガネを雲らせたが、メガネを曇らせないマスクである。
従来あった形状記憶合金やスポンジなどはそのままにして、Ｌ字形のパイプを使い蒸気を含んだ空気がマスクの横の方から排出されてメガネの雲りが減って気持良くなるマスク。
【特許文献１】実用新案登録第３２２７１０８号に係る「飛沫飛散防止用マスク」
【特許文献２】実用新案登録第３１９９３４８号に係る「医療用のマスク」
【特許文献３】特開２０１９−１６３５７３号に係る「マスク」
【考案の開示】
【考案が解決しようとする課題】
【０００６】
コロナウィルスの感染防止の為に、最近では日常生活においてマスクを着用することが習慣になりつつあり、その為に色々なマスク作られ、使われている。
本考案が解決しようとする課題は、長時間にわたってマスクを着用しても、息苦しくないことは言うまでもなく、気持ちよく着用することが出来るマスクを提供する。
【課題を解決するための手段】
【０００７】
本考案に係るマスクは顔の口元から鼻にかけての領域を覆うことが出来るマスク生地と耳かけ紐とから成り、耳かけ紐はマスク生地の両側に設けられ、伸縮自在としている。
そして、マスク生地は複数枚の生地が重なり合った構造とし、内側となる口元側の内シート材には化粧する際に使うパフを用いている。すなわち、パフは上記マスク生地と共に外周部が縫い合わされて一体化した構造としている。
【０００８】
ここで、パフは一種のスポンジであるが、本考案のマスクに使うパフは表面に無数の起毛を有している。起毛は細くて柔らかく、パフ表面から起立していることでマスクを着用する際にはパフ面は肌に接することなく、複数の起毛が接することになる。勿論、細くてしなやかな起毛は適度に湾曲して肌に当たり、マスクの掛け心地が良好となる。
【考案の効果】
【０００９】
本考案に係るマスクは、マスク生地の内側（肌と接する側）に化粧する際に使うパフを取付けたものであり、パフはマスク生地と共に縫い合わされている。したがって、マスクを着用するならば、パフが口元に接し、掛け心地は良好であり、しかも気持ちよく掛けることが出来る。
【００１０】
パフの表面には無数の起毛が形成され、肌面にはこれら起毛が接し、従来のマスクのようにべた付き感はなく、起毛を介してマスク生地が浮いているような感触が得られる。
したがって、長時間にわたって着用しても、一日中着用しても、息苦しさはなく、気持ち良く掛けることが出来る。その為に、ジョギングなどの軽い運動をする際にも着用することが可能である。
【図面の簡単な説明】
【００１１】
【図１】本考案に係るマスクを示す外観図。
【図２】マスクを構成するマスク生地の展開図。
【図３】マスク生地の内シート材の断面拡大を示す模式図。
【図４】内シート材に設けている起毛が肌面に接している場合の模式図。
【考案を実施するための形態】
【００１２】
図１は本考案に係るマスク１を示す具体例であり、同図の２はマスク生地、３，３は耳掛け紐を表している。
マスク生地２は一般に綿生地や不織布などが用いられ、口元から鼻にかけての領域を覆うことが出来る大きさ、並びに形状と成っている。上記マスク生地２は一般に複数枚が重ね合わされ、その周縁部は縫製され、そして上記耳掛け紐３，３はマスク生地２の両側に縫い付けられている。
また、耳掛け紐３，３は、ゴム紐を用いてマスク生地２の両側に縫い付けることなく、マスク生地２と共に一体的に形成することもあり、耳掛け紐３，３を設ける具体的な手段は限定しない。
【００１３】
耳掛け紐３，３は耳に掛けることでマスク１は顔正面に着用されて口元から鼻にかけての領域を覆うことが出来る。長時間にわたって着用しても耳元が痛くならないように上記耳掛け紐３，３は伸縮自在と成っている。
その為に、耳掛け紐３，３としては伸縮性に優れたゴム製チューブなどが用いられている。
【００１４】
図２はマスク生地２の展開図を表していて、同図に示すマスク生地２は３枚のシートで構成され、正面シート生地４、中シート生地５、及び内シート材６から成っている。
そして、これら３枚の正面シート生地４、中シート生地５、及び内シート材６は重なり合った積層構造としている。
ここで、上記マスク生地２を構成する正面シート生地４、中シート生地５、及び内シート材６の具体的な生地質は限定しないが、上記内シート材６は化粧をする際に使うパフを用いている。
【００１５】
上記パフは一種のスポンジであって、柔らかくて変形自在であるが、表面には無数の起毛を有している。起毛は極めて細くて柔らかく、その為に僅かな外力が働くならば、簡単に曲げ変形することが出来る。
一本の起毛が曲げ変形する抵抗はゼロに等しいが、無数に近い起毛が集合した状態では一定厚さの起毛層が形成され、肌との間に空気層として介在する。
【００１６】
図３は内シート材６の一部断面拡大図を示しているが、パフ７の表面８には多数の起毛９，９・・・が起立している。同図に示す起毛９，９・・・は垂直に起立しているが、実際には湾曲したり、傾斜したり、その状態は様々である。
ここで、起毛９の長さＨは限定されないが、一般にＨ＝０．１ｍｍ〜５ｍｍとしている。
【００１７】
このように起毛９，９・・・を有すパフ７は、所定の縦・横サイズのシート材から正面シート生地４及び中シート生地５に近似した形状に裁断され、内シート材６となる。そして、正面シート生地４、中シート生地５、及び内シート材６は重なり合った状態で周縁が縫製されてマスク生地２が構成され、該マスク生地２の両側に耳掛け紐３，３が取付けられる。
【００１８】
図４はマスク１を着用した場合の内シート材６であるパフ７と肌との接触状態の拡大図を表す模式図である。マスク１を着用するならば、マスク生地２は顔の正面になじんで湾曲し、パフ７は肌面１０に接するが、パフ７の表面８には無数の起毛９，９・・・が起立していることで、表面８が直接接することはなく間には僅かな隙間１１が介在している。  すなわち、パフ７は無数の起毛９，９・・・にて支持される。
【００１９】
該起毛９，９・・・は非常に細くて柔らかく、先端が肌に当たるならば湾曲して変形するが、起毛９，９・・・が肌面１０に当たっている感覚はなく、隙間１１の空気層にて支持されている着用感が得られる。
マスク１を着用する場合、耳掛け紐３，３は耳に掛けられてマスク生地２は顔の正面に当たり、口元から鼻の領域を覆うことになるが、無数の起毛９，９・・・が肌面１０に接することでマスク１の着用感は従来のマスクとは大きく異なる。
【００２０】
すなわち、内シート材６の起毛９，９・・・が肌面１０に接することで、長時間にわたって着用しても、息苦しさはなく、肌さわりが大きく向上する為に、気持ち良くマスク１を掛けることが出来る。
【符号の説明】
【００２１】
１   マスク
２   マスク生地
３   耳掛け紐
４   正面シート生地
５   中シート生地
６   内シート材
７   パフ
８   表面
９   起毛
10   隙間
【図１】
0003229611.tif 000003
【図２】
0003229611.tif 000004
【図３】
0003229611.tif 000005
【図４】
0003229611.tif 000006